(57)【要約】【課題】  手動操作式の開閉器に後から容易に自動操作機能を付加できる操作装置を提供する。  【解決手段】  開閉器に付設されたケース９と、開閉器の接触子駆動軸１３に連結された操作軸１と、操作軸１を回転駆動させる手動ハンドル２を備えた開閉器の操作装置において、  ケース９に設けられ外部駆動手段を取付る取付手段と、手動ハンドル２の先端部に設けられ外部駆動手段と連結する連結手段の連結ピン１bを装着する連結孔とを備えたものである。【選択図】    図１
2005158376.tif 000002
【特許請求の範囲】
【請求項１】
開閉器に付設されたケースと、前記開閉器の接触子駆動軸に連結された操作軸と、前記操作軸を回転駆動させる手動ハンドルとを備えた開閉器の操作装置において、
前記ケースに設けられ外部駆動手段を取付る取付手段と、前記手動ハンドルの先端部に設けられ前記外部駆動手段と連結する連結手段の連結ピンを装着する連結孔とを備えたことを特徴とする開閉器の操作装置。
【請求項２】
前記外部駆動手段はモータと、所定の回転範囲で動作するマイクロスイッチとからなることを特徴とする請求項１記載の開閉器の操作装置。
【請求項３】
前記連結手段は前記モータの出力軸に固定した操作レバーと、前記操作レバーの先端部に設けた連結ピンとからなることを特徴とする請求項１または２記載の開閉器の操作装置。
【請求項４】
前記取付手段はスタッドボルトであることを特徴とする請求項１から３のいずれか１項に記載の開閉器の操作装置。
【発明の詳細な説明】
【技術分野】
【０００１】
本発明は、手動操作式の開閉器に自動操作機能を付加するための操作装置に関するものである。
【背景技術】
【０００２】
従来の開閉器の操作装置として、ハンドルを手動で操作するものがある（例えば、特許文献１参照）。
また、具体的な例として図４に示すように構成されているものがある。
図４において、手動操作機構１２は防水パッキン８で防水されたケース９に収められ、操作装置の操作軸１を開閉器容器１１から取り出した接触子駆動軸１３と連結して、手動ハンドル２により、手動操作機構１２を操作してバネを蓄勢し、バネの力によって接触子駆動軸１３を駆動させて、接触子の開閉操作を行うような構成になっている。
【特許文献１】実開平７−２５５２２号公報
【発明の開示】
【発明が解決しようとする課題】
【０００３】
しかしながら、従来の開閉器の手動操作装置は、同一の駆動軸を操作するようになっており、手動操作式の操作装置に後に自動操作機能を付加しようとする際は、一旦防水カバーを外し、操作機構部を手動式から自動式に交換しなければならず、また煩雑な調整が必要であった。
本発明は、このような問題を解決するためになされたもので、手動操作式の開閉器に後から容易に自動操作機能を付加できる操作装置を提供することを目的とするものである。
【課題を解決するための手段】
【０００４】
上記問題を解決するため、本発明は、次のように構成したものである。
開閉器に付設されたケースと、前記開閉器の接触子駆動軸に連結された操作軸と、前記操作軸を回転駆動させる手動ハンドルとを備えた開閉器の操作装置において、
前記ケースに設けられ外部駆動手段を取付る取付手段と、前記手動ハンドルの先端部に設けられ前記外部駆動手段と連結する連結手段の連結ピンを装着する連結孔とを備えたものである。
また、請求項２に記載の発明は、前記外部駆動手段はモータと、所定の回転範囲で動作するマイクロスイッチとからなるものである。
また、請求項３に記載の発明は、前記連結手段は前記モータの出力軸に固定した操作レバーと、前記操作レバーの先端部に設けた連結ピンとからなるものである。
また、請求項４に記載の発明は、前記取付手段はスタッドボルトからなるものである。
【発明の効果】
【０００５】
請求項１に記載の発明によれば、ケースに設けられ外部駆動手段を取付る取付手段のスタッドボルトと、手動ハンドルの先端部に設けられ外部駆動手段と連結する連結手段の連結ピンを装着する連結孔を設けておくことにより、開閉器設置状態にあっても後から容易に開閉器に自動操作機能を付加できるという効果がある。
【発明を実施するための最良の形態】
【０００６】
以下、本発明の実施の形態について図に基づいて説明する。
図１は、本発明の開閉器の操作装置の側断面図、図２、図３は、開閉器の開路、及び閉路状態の操作機構の構成図である。
図において、１は操作軸、１aは操作レバー、１bは連結ピン、２は手動ハンドル、２aは孔、３はモータ、４はモータ出力軸、５はカム、６はマイクロスイッチ、７はレバー、８は防水パッキン、１０はスタッドボルトである。操作軸１は、手動ハンドル２と同心で自由に回転できるように取付けてあり、操作軸１の先端には操作レバー１aが操作軸１と一体で回転するよう固定され、操作レバー１aには連結ピン１bが固定されており、連結ピン１bは手動ハンドル２に設けた孔２aに挿入されている。操作軸１は、モータ３のモータ出力軸４と連結している。操作軸１と同心で操作軸１とは独立して回転するようにカム５が取付けられている。カム５の回転により開閉動作するようにマイクロスイッチ６が２個配置されており、マイクロスイッチ６の開閉によりモータ３が逆転するように配線されている。装置全体は防水パッキン８により防水されたケース９におさめられており、ケース９に固定されているスタッドボルト１０で取付けられるようになっている。
図２に示す開路状態において、閉路指令が入ると、モータ端子に電圧が印加され、モータ３の動力は操作軸１に伝わり、操作軸１が時計方向に回転し、連結ピン１bを介して手動ハンドル２が時計方向に回転される。その際、カム５は軸の摩擦力により、その位置を保持し、マイクロスイッチ６も開状態を保持する。手動ハンドル２は、ある程度回転すると、開閉器側の手動操作機構１２のバネの作用により、図３に示す閉路状態の位置まで手動ハンドル２が回転する。カム５が回転すると、マイクロスイッチ６が閉路し、閉路指令が切れてモータは３は停止し、図３の状態となり、閉路操作が完了する。次に開路指令が入ると、モータ３の結線が開路時とは逆となっているため、モータ３の動力により、操作軸１は反時計方向に回転し、手動ハンドル２も連結ピン１bを介して同じ方向に回転される。その際、カム５は軸の摩擦力により、位置を保持し、マイクロスイッチ６も閉状態を保持する。手動ハンドル２は、ある程度回転すると、開閉器側の手動操作機構１２のバネの作用により、図２に示す開路状態の位置まで回転する。カム５が回転すると、マイクロスイッチ６が開路し、閉路指令が切れてモータ３は停止し、図２の状態になり、開路操作が完了する。
このように、簡易な自動操作装置を一体のケース９に納め、手動ハンドル２を介して手動操作機構１２を駆動するようにし、開閉器に取付けられるようにすることで、容易に手動操作式開閉器に自動機能を付加する装置を提供できる。
【図面の簡単な説明】
【０００７】
【図１】本発明の実施例を示す開閉器の操作装置の側断面図
【図２】本発明の実施例を示す開閉器開路状態の操作機構の構成図
【図３】本発明の実施例を示す開閉器閉路状態の操作機構の構成図
【図４】従来の開閉器の操作装置の構成図
【符号の説明】
【０００８】
１ 操作軸
１a 操作レバー
１b 連結ピン
２ 手動ハンドル
２a 孔 
３ モータ
４ モータ出力軸
５ カム
６ マイクロスイッチ
７ レバー
８ 防水パッキン
９ ケース
１０ スタッドボルト
１１ 開閉器容器
１２ 手動操作機構
１３ 接触子駆動軸
【図１】
2005158376.tif 000003
【図２】
2005158376.tif 000004
【図３】
2005158376.tif 000005
【図４】
2005158376.tif 000006